【手続補正書】
【提出日】平成29年2月7日(2017.2.7)
【手続補正１】
【補正対象書類名】特許請求の範囲
【補正対象項目名】全文
【補正方法】変更
【補正の内容】
【特許請求の範囲】
【請求項１】
モバイルデバイスを使用したワイヤレス通信のための方法であって、
前記モバイルデバイスがスタンバイ状態であることをユーザインタフェースコンポーネントの状態に基づいて判定するステップと、
前記モバイルデバイスの既存のトランスポートレイヤ接続の数を特定するステップと、
前記モバイルデバイスのトランスポートレイヤ接続の正味のカウントを特定するステップであって、前記トランスポートレイヤ接続の正味のカウントは、前記特定された既存のトランスポートレイヤ接続の数、開かれた接続の数、および閉じた接続の数に少なくとも部分的に基づく、ステップと、
前記モバイルデバイスが前記スタンバイ状態にあること、および、トランスポートレイヤ接続の前記特定されたカウントが閾値を満たすことに少なくとも部分的に基づいて、無線接続の休眠を開始することを決定するステップと
を含む、方法。
【請求項２】
トランスポートレイヤ接続の前記正味のカウントを特定する前記ステップは、指定された時間期間の間に起こる、請求項1に記載の方法。
【請求項３】
前記指定された時間期間は、前記モバイルデバイスがアクティブな無線状態である時間期間を含む、請求項2に記載の方法。
【請求項４】
前記アクティブな無線状態は、順方向アクセスチャネル(FACH)状態、データチャネル(DCH)状態、または接続された状態を含む、請求項3に記載の方法。
【請求項５】
前記モバイルデバイスがアクティブな無線状態に遷移しているか、または前記アクティブな無線状態から遷移していることを判定するステップ
をさらに含み、
既存のトランスポートレイヤ接続の前記数を特定するステップは、前記モバイルデバイスが前記アクティブな無線状態に遷移するか、または前記アクティブな無線状態から遷移するときに少なくとも基づき、
トランスポートレイヤ接続の前記正味のカウントが、前記モバイルデバイスの前記遷移の後に特定される、
請求項1に記載の方法。
【請求項６】
トランスポートレイヤ接続の前記正味のカウントは、前記モバイルデバイスの前記遷移の後、クローズされたトランスポートレイヤ接続の数から判定される、請求項5に記載の方法。
【請求項７】
トランスポートレイヤ接続の前記正味のカウントは、前記モバイルデバイスの前記遷移の後、オープンされたトランスポートレイヤ接続の数から判定される、請求項5に記載の方法。
【請求項８】
トランスポートレイヤ接続の前記正味のカウントは、前記モバイルデバイスの前記遷移の後、クローズされたトランスポートレイヤファイル記述子の数から判定される、請求項5に記載の方法。
【請求項９】
トランスポートレイヤ接続の前記正味のカウントは、前記モバイルデバイスの前記遷移の後、オープンされたトランスポートレイヤファイル記述子の数から判定される、請求項5に記載の方法。
【請求項１０】
前記無線接続の休眠を開始する前記ステップは、トランスポートレイヤ接続の正味のカウントが0であるか、または0未満であるとき、起こる、請求項1に記載の方法。
【請求項１１】
前記モバイルデバイスが前記スタンバイ状態であることを判定するステップは、
前記モバイルデバイスのスクリーンが非アクティブ状態であることを判定するステップをさらに含む、請求項1に記載の方法。
【請求項１２】
前記スクリーンは、パワーダウンされるとき、前記非アクティブ状態であると判定される、請求項11に記載の方法。
【請求項１３】
前記スクリーンは、前記スクリーンを介した入力の不足が所定の時間期間の間に起こるとき、前記非アクティブ状態であると判定される、請求項11に記載の方法。
【請求項１４】
前記無線接続の休眠を開始するために、シグナリング接続解放インジケータ(SCRI)を生成するステップをさらに含む、請求項1に記載の方法。
【請求項１５】
前記モバイルデバイスがアクティブな無線状態に遷移していることを判定するステップであって、既存のトランスポートレイヤ接続の前記数は、前記モバイルデバイスが前記アクティブな無線状態に遷移するとき特定されるステップと、
前記モバイルデバイスが前記アクティブな無線状態に入った後に存在するトランスポートレイヤ接続の数を周期的にカウントするステップであって、トランスポートレイヤ接続の前記正味のカウントは、トランスポートレイヤ接続の前記周期的なカウントに少なくとも部分的に基づいて、前記モバイルデバイスが前記アクティブな無線状態である間に特定されるステップと
をさらに含む、請求項1に記載の方法。
【請求項１６】
ワイヤレス通信のために構成されたモバイルデバイスであって、
プロセッサと、
前記プロセッサと電子通信しているメモリであって、
前記モバイルデバイスがスタンバイ状態であることをユーザインタフェースコンポーネントの状態に基づいて判定し、
前記モバイルデバイスの既存のトランスポートレイヤ接続の正味の数を特定し、前記モバイルデバイスのトランスポートレイヤ接続の正味のカウントを特定し、
前記モバイルデバイスが前記スタンバイ状態にあること、および、トランスポートレイヤ接続の前記特定されたカウントが閾値を満たすことに少なくとも部分的に基づいて、無線接続の休眠を開始することを決定する
ための、前記プロセッサによって実行可能である命令を組み込むメモリと
を含み、
前記トランスポートレイヤ接続の正味のカウントは、前記特定された既存のトランスポートレイヤ接続の数、開かれた接続の数、および閉じた接続の数に少なくとも部分的に基づく、モバイルデバイス。
【請求項１７】
前記プロセッサは、指定された時間期間の間に、トランスポートレイヤ接続の前記正味のカウントを特定するようにさらに構成される、請求項16に記載のモバイルデバイス。
【請求項１８】
前記指定された時間期間は、前記モバイルデバイスがアクティブな無線状態である時間期間を含む、請求項17に記載のモバイルデバイス。
【請求項１９】
前記アクティブな無線状態は、順方向アクセスチャネル(FACH)状態、データチャネル(DCH)状態、または接続された状態を含む、請求項18に記載のモバイルデバイス。
【請求項２０】
前記プロセッサは、
前記モバイルデバイスがアクティブな無線状態に遷移しているか、または前記アクティブな無線状態から遷移していることを判定する
ようにさらに構成され、
既存のトランスポートレイヤ接続の数は、前記モバイルデバイスが前記アクティブな無線状態に遷移するか、または前記アクティブな無線状態から遷移するときに少なくとも基づき、
トランスポートレイヤ接続の前記正味のカウントが、前記モバイルデバイスの前記遷移の後に特定される、
請求項16に記載のモバイルデバイス。
【請求項２１】
トランスポートレイヤ接続の前記正味のカウントは、前記モバイルデバイスの前記遷移の後、クローズされたトランスポートレイヤ接続の数から判定される、請求項20に記載のモバイルデバイス。
【請求項２２】
トランスポートレイヤ接続の前記正味のカウントは、前記モバイルデバイスの前記遷移の後、オープンされたトランスポートレイヤ接続の数から判定される、請求項20に記載のモバイルデバイス。
【請求項２３】
トランスポートレイヤ接続の前記正味のカウントは、前記モバイルデバイスの前記遷移の後、クローズされたトランスポートレイヤファイル記述子の数から判定される、請求項20に記載のモバイルデバイス。
【請求項２４】
トランスポートレイヤ接続の前記正味のカウントは、前記モバイルデバイスの前記遷移の後、オープンされたトランスポートレイヤファイル記述子の数から判定される、請求項20に記載のモバイルデバイス。
【請求項２５】
前記プロセッサは、トランスポートレイヤ接続の正味のカウントが0であるか、または0未満であるとき、前記無線接続の休眠を開始することを決定するようにさらに構成される、請求項16に記載のモバイルデバイス。
【請求項２６】
前記プロセッサは、前記モバイルデバイスのスクリーンが非アクティブ状態であると判定することによって、前記モバイルデバイスが前記スタンバイ状態であると判定するようにさらに構成される、請求項16に記載のモバイルデバイス。
【請求項２７】
前記スクリーンは、パワーダウンされるとき、前記非アクティブ状態であると判定される、請求項26に記載のモバイルデバイス。
【請求項２８】
前記スクリーンは、前記スクリーンを介した入力の不足が所定の時間期間の間に起こるとき、前記非アクティブ状態であると判定される、請求項26に記載のモバイルデバイス。
【請求項２９】
前記プロセッサは、
前記無線接続の休眠を開始するために、シグナリング接続解放インジケータ(SCRI)を生成する
ようにさらに構成される、請求項16に記載のモバイルデバイス。
【請求項３０】
前記プロセッサは、
前記モバイルデバイスがアクティブな無線状態に遷移していることを判定し、
前記モバイルデバイスが前記アクティブな無線状態に入った後に存在するトランスポートレイヤ接続の数を周期的にカウントする
ようにさらに構成され、
既存のトランスポートレイヤ接続の前記数は、前記モバイルデバイスが前記アクティブな無線状態に遷移するとき特定され、
トランスポートレイヤ接続の前記正味のカウントは、トランスポートレイヤ接続の前記周期的なカウントに少なくとも部分的に基づいて、前記モバイルデバイスが前記アクティブな無線状態である間に特定される、
請求項16に記載のモバイルデバイス。
【請求項３１】
無線接続を管理するように構成された装置であって、
モバイルデバイスがスタンバイ状態であることをユーザインタフェースコンポーネントの状態に基づいて判定するための手段と、
前記モバイルデバイスの既存のトランスポートレイヤ接続の数を特定するための手段と、
前記モバイルデバイスのトランスポートレイヤ接続の正味のカウントを特定するための手段であって、前記トランスポートレイヤ接続の正味のカウントは、前記特定された既存のトランスポートレイヤ接続の数、開かれた接続の数、および閉じた接続の数に少なくとも部分的に基づく、手段と、
前記モバイルデバイスが前記スタンバイ状態にあること、および、トランスポートレイヤ接続の前記特定されたカウントが閾値を満たすことに少なくとも部分的に基づいて、無線接続の休眠を開始することを決定するための手段と
を含む、装置。
【請求項３２】
トランスポートレイヤ接続の前記正味のカウントを特定するための前記手段は、指定された時間期間の間に起こる、請求項31に記載の装置。
【請求項３３】
前記指定された時間期間は、モバイルデバイスがアクティブな無線状態である時間期間を含む、請求項32に記載の装置。
【請求項３４】
前記装置がアクティブな無線状態に遷移しているか、または前記アクティブな無線状態から遷移していることを判定するための手段
をさらに含み、
既存のトランスポートレイヤ接続の前記数を特定することは、前記モバイルデバイスが前記アクティブな無線状態に遷移するか、または前記アクティブな無線状態から遷移するときに少なくとも基づき、
トランスポートレイヤ接続の前記正味のカウントが、前記モバイルデバイスの前記遷移の後に特定される、
請求項31に記載の装置。
【請求項３５】
トランスポートレイヤ接続の前記正味のカウントは、前記装置の前記遷移の後、クローズされたトランスポートレイヤ接続の数から判定される、請求項34に記載の装置。
【請求項３６】
トランスポートレイヤ接続の前記正味のカウントは、前記装置の前記遷移の後、オープンされたトランスポートレイヤ接続の数から判定される、請求項34に記載の装置。
【請求項３７】
前記無線接続の休眠を開始するための前記手段は、トランスポートレイヤ接続の正味のカウントが0であるか、または0未満であるときに起こる、請求項31に記載の装置。
【請求項３８】
前記装置が前記スタンバイ状態であることを判定するための前記手段は、
前記装置のスクリーンが非アクティブ状態であることを判定するための手段
をさらに含む、請求項31に記載の装置。
【請求項３９】
前記無線接続の休眠を開始するために、シグナリング接続解放インジケータ(SCRI)を生成するための手段をさらに含む、請求項31に記載の装置。
【請求項４０】
無線接続を管理するためのコンピュータプログラムであって、プロセッサによって実行されるとき、前記プロセッサに、
モバイルデバイスがスタンバイ状態であることをユーザインタフェースコンポーネントの状態に基づいて判定させ、
前記モバイルデバイスの既存のトランスポートレイヤ接続の数を特定させ、
前記モバイルデバイスのトランスポートレイヤ接続の正味のカウントを特定させ、
前記モバイルデバイスが前記スタンバイ状態にあること、および、トランスポートレイヤ接続の前記特定されたカウントが閾値を満たすことに少なくとも部分的に基づいて、無線接続の休眠を開始することを決定させる
実行可能な命令を含み、
前記トランスポートレイヤ接続の正味のカウントは、前記特定された既存のトランスポートレイヤ接続の数、開かれた接続の数、および閉じた接続の数に少なくとも部分的に基づく、
コンピュータプログラム。